(57)【要約】【課題】  放送チャンネル数が多い場合には、所望する裏番組の検索及び選択が困難であった。【解決手段】  テレビジョン放送される各番組の番組内容を表す番組情報を外部から取得すると共に、当該所得した番組情報に基づいて、裏番組を番組内容に応じて分類したテーブルを作成し、外部操作によって選択された所定の番組内容の裏番組を、テーブルを用いて検索し、検索された裏番組の映像又は当該裏番組に関する所定情報を、受信手段の受信チャンネルにおいて放送されている番組の映像と共に表示させるようにした。【選択図】        図３
2005039512.tif 000002
【特許請求の範囲】
【請求項１】
テレビジョン放送を受信する受信手段と、
上記テレビジョン放送される各番組の番組内容を表す番組情報を外部から取得し、当該所得した上記番組情報に基づいて、上記受信手段の受信チャンネルにおいて放送されている上記番組の裏番組を上記番組内容に応じて分類したテーブルを作成するテーブル作成手段と、
外部操作によって選択された所定の上記番組内容の上記裏番組を、上記テーブルを用いて検索する検索手段と、
上記検索手段により検索された上記裏番組の映像又は当該裏番組に関する所定情報を、上記受信手段の受信チャンネルにおいて放送されている上記番組の映像と共に表示させる映像表示処理手段と
を具えることを特徴とする裏番組表示装置。
【請求項２】
上記受信手段は、
複数種類のテレビジョン放送媒体の上記テレビジョン放送を受信でき、
上記テーブル作成手段は、
各上記テレビジョン放送媒体において上記テレビジョン放送される全ての上記番組の上記番組情報を外部から取得し、当該所得した上記番組情報に基づいて、上記裏番組を上記番組内容に応じて分類した上記テーブルを作成する
ことを特徴とする請求項１に記載の裏番組表示装置。
【請求項３】
上記テーブル作成手段は、
上記番組情報の一部でなる当該番組のカテゴリを表すカテゴリ情報に基づいて上記テーブルを作成する
ことを特徴とする請求項１に記載の裏番組表示装置。
【請求項４】
上記テーブル作成手段は、
上記番組情報の一部でなる当該番組の詳細な番組内容を表す詳細情報に基づいて上記テーブルを作成する
ことを特徴とする請求項１に記載の裏番組表示装置。
【請求項５】
テレビジョン放送される各番組の番組内容を表す番組情報を外部から取得し、当該所得した上記番組情報に基づいて、上記受信手段の受信チャンネルにおいて放送されている上記番組の裏番組を上記番組内容に応じて分類したテーブルを作成する第１のステップと、
外部操作によって選択された所定の上記番組内容の上記裏番組を、上記テーブルを用いて検索する第２のステップと、
検索された上記裏番組の映像又は当該裏番組に関する所定情報を、上記受信手段の受信チャンネルにおいて放送されている上記番組の映像と共に表示させる第３のステップと
を具えることを特徴とする裏番組表示方法。
【請求項６】
上記第１のステップでは、
複数種類のテレビジョン放送媒体の上記テレビジョン放送を受信でき、
上記第２のステップでは、
各上記テレビジョン放送媒体において上記テレビジョン放送される全ての上記番組の上記番組情報を外部から取得し、当該所得した上記番組情報に基づいて、上記裏番組を上記番組内容に応じて分類した上記テーブルを作成する
ことを特徴とする請求項５に記載の裏番組表示方法。
【請求項７】
上記第１のステップでは、
上記番組情報の一部でなる当該番組のカテゴリを表すカテゴリ情報に基づいて上記テーブルを作成する
ことを特徴とする請求項５に記載の裏番組表示方法。
【請求項８】
上記第１のステップでは、
上記番組情報の一部でなる当該番組の詳細な番組内容を表す詳細情報に基づいて上記テーブルを作成する
ことを特徴とする請求項５に記載の裏番組表示方法。
【発明の詳細な説明】
【技術分野】
【０００１】
本発明は裏番組表示装置及び方法に関し、例えばテレビジョン受像機に適用して好適なものである。
【背景技術】
【０００２】
従来、裏番組表示機能が搭載されたテレビジョン受像機においては、裏番組表示を行う際、その時間に放送されている一部又は全部の裏番組をサブ画面で表示し得るようになされている。
【０００３】
しかしながら、例えばＣＳ（Communication
Satellite）放送では現在１００チャンネル以上の放送サービスが行われており、１つの番組を視聴しながら上述のような裏番組表示機能を利用して所望する他の番組（裏番組）を探すことは非常に困難であった。
【０００４】
一方、近年では、各番組の映像音声情報に重畳されてＣＳ放送される番組表データを利用して番組を容易に検索し得るようにすることが提案されている（例えば特許文献１参照）。
【０００５】
ここで番組表データは、１週間以内にＣＳ放送される全番組の番組ごとの番組情報から構成される。この番組情報は、その番組の番組内容を表すものであり、例えばその番組が放送されるチャンネルの番号及び名称と、その番組の放送日時と、その番組がＣＳ放送局により予め分類された「音楽」、「スポーツ」、「映画」、「ドラマ」、「バラエティ」等のカテゴリのうち、どのカテゴリに属するかを表すカテゴリ情報と、その番組の出演者等の詳細情報でなるサービス詳細情報となどを含む。
【０００６】
そしてかかる特許文献１では、このような番組表データを利用して、ユーザが入力したキーワードをサービス情報に含む番組を検索することが開示されている。
【特許文献１】特開２００１−２５７９６１号公報
【発明の開示】
【発明が解決しようとする課題】
【０００７】
しかしながら、かかる特許文献１には、検索結果を番組予約に利用することしか開示されていない。従って、この特許文献１ｂに記載された方法を用いても、裏番組の検索及び選択を容易化し得ない問題があった。
【０００８】
本発明は以上の点を考慮してなされたもので、裏番組の検索及び選択を容易化させ得る裏番組表示装置及び方法を提案しようとするものである。
【課題を解決するための手段】
【０００９】
かかる課題を解決するため本発明においては、裏番組表示装置において、テレビジョン放送される各番組の番組内容を表す番組情報を外部から取得し、当該所得した番組情報に基づいて、裏番組を番組内容に応じて分類したテーブルを作成するテーブル作成手段と、外部操作によって選択された所定の番組内容の裏番組を、テーブルを用いて検索する検索手段と、検索手段により検索された裏番組の映像又は当該裏番組に関する所定情報を、受信手段の受信チャンネルにおいて放送されている番組の映像と共に表示させる映像表示処理手段とを設けるようにした。
【００１０】
この結果この裏番組表示装置によれば、ユーザが所望する番組内容を選択するだけでその番組内容の裏番組を直ちに表示させることができ、さらにこれら表示された裏番組の中から自分が視聴したい１つの裏番組を視覚的に検索及び選択することができる。
【００１１】
また本発明においては、裏番組表示方法において、テレビジョン放送される各番組の番組内容を表す番組情報を外部から取得し、当該所得した番組情報に基づいて、裏番組を番組内容に応じて分類したテーブルを作成する第１のステップと、外部操作によって選択された所定の番組内容の裏番組を、テーブルを用いて検索する第２のステップと、検索された裏番組の映像又は当該裏番組に関する所定情報を、受信手段の受信チャンネルにおいて放送されている番組の映像と共に表示させる第３のステップとを設けるようにした。
【００１２】
この結果この裏番組表示方法によれば、ユーザが所望する番組内容を選択するだけでその番組内容の裏番組を直ちに表示させることができ、さらにこれら表示された裏番組の中から自分が視聴したい１つの裏番組を視覚的に検索及び選択することができる。
【発明の効果】
【００１３】
上述のように本発明によれば、裏番組表示装置において、テレビジョン放送される各番組の番組内容を表す番組情報を外部から取得し、当該所得した番組情報に基づいて、裏番組を番組内容に応じて分類したテーブルを作成するテーブル作成手段と、外部操作によって選択された所定の番組内容の裏番組を、テーブルを用いて検索する検索手段と、検索手段により検索された裏番組の映像又は当該裏番組に関する所定情報を、受信手段の受信チャンネルにおいて放送されている番組の映像と共に表示させる映像表示処理手段とを設けるようにしたことにより、ユーザが所望する番組内容を選択するだけでその番組内容の裏番組を直ちに表示させることができ、さらにこれら表示された裏番組の中から自分が視聴したい１つの裏番組を視覚的に検索及び選択することができ、かくして裏番組の検索及び選択を容易化させ得る裏番組表示装置を実現できる。
【００１４】
また本発明によれば、裏番組表示方法において、テレビジョン放送される各番組の番組内容を表す番組情報を外部から取得し、当該所得した番組情報に基づいて、裏番組を番組内容に応じて分類したテーブルを作成する第１のステップと、外部操作によって選択された所定の番組内容の裏番組を、テーブルを用いて検索する第２のステップと、検索された裏番組の映像又は当該裏番組に関する所定情報を、受信手段の受信チャンネルにおいて放送されている番組の映像と共に表示させる第３のステップとを設けるようにしたことにより、ユーザが所望する番組内容を選択するだけでその番組内容の裏番組を直ちに表示させることができ、さらにこれら表示された裏番組の中から自分が視聴したい１つの裏番組を視覚的に検索及び選択することができ、かくして裏番組の検索及び選択を容易化させ得る裏番組表示方法を実現できる。
【発明を実施するための最良の形態】
【００１５】
以下図面について、本発明の一実施の形態を詳述する。
【００１６】
（１）第１の実施の形態
（１−１）第１の実施の形態によるテレビジョン受像機の構成
図１において、１は全体として第１の実施の形態によるテレビジョン受像機を示し、パラボラアンテナ２を介して受信したＣＳ放送波Ｓ１を受信信号Ｓ２として第１及び第２のチューナ３Ａ、３Ｂに入力する。
【００１７】
第１のチューナ３Ａは、ＣＰＵ（Central
Processing Unit）５の制御のもとに、受信信号Ｓ２に含まれるユーザにより指定されたチャンネルのテレビジョン信号を抽出し、そのビットストリームデータを受信データＤ１Ａとしてデスクランブラ６に送出する。
【００１８】
デスクランブラ６は、供給される受信データＤ１Ａが暗号化されている場合には予め与えられた暗号キーを用いてこれを解除し、暗号化されていない場合にはそのままの信号形態で、これをデスクランブル受信データＤ２としてデマルチプレクサ７に送出する。
【００１９】
このときかかるデスクランブル受信データＤ２には、所定フォーマットで圧縮符号化されたそのチャンネルで現在放送されている番組の映像音声データＤ３の他に後述の番組表データＤ４が含まれている。
【００２０】
かくしてデマルチプレクサ７は、供給されるデスクランブル受信データＤ２をかかる映像音声データＤ３及び番組表データＤ４に分離し、映像音声データＤ３をＡＶ（Audio Video）デコーダ８に送出すると共に、番組表データＤ４をＣＰＵ５に送出する。
【００２１】
ＡＶデコーダ８は、供給される映像音声データＤ３を映像データ及び音声データに分離後、これらをそれぞれ復号化処理し、この結果として得られた復号化された映像データＤ４Ｖを映像表示処理部９に送出すると共に、音声データＤ４Ａを音声出力処理部１０に送出する。
【００２２】
かくして映像表示処理部９は、供給される映像データＤ４Ｖに対してディジタル／アナログ変換処理等の所定の信号処理を施し、得られたアナログ波形の映像信号Ｓ３をモニタ１１に送出することにより、当該映像信号Ｓ３Ｖに基づく映像をモニタ１１に全画面表示させる。
【００２３】
また音声出力処理部１０は、供給される音声データＤ４Ａに対してディジタル／アナログ変換処理等の所定の信号処理を施し、得られたアナログ波形の音声信号Ｓ３Ａをスピーカ１２に送出することにより、当該音声信号Ｓ３Ａに基づく音声をスピーカ１２から出力させる。
【００２４】
このようにしてこのテレビジョン受像機１は、ユーザにより指定されたチャンネルの映像をモニタ１１に表示し、音声をスピーカ１２から出力する。
【００２５】
一方、このテレビジョン受像機１には、この番組表データＤ４に基づき、ユーザの要求に応じて、ユーザがそのとき視聴している番組の裏番組の中から当該ユーザが所望するカテゴリに属する番組を検索して、その静止画像をモニタ１１にサブ画面で表示させ得る裏番組検索表示機能が搭載されている。
【００２６】
実際上、かかる裏番組検索表示機能は、ＲＯＭ（Read
Only Memory）１３に格納されたプログラムに基づき、図２に示す裏番組検索表示処理手順ＲＴ１及び図３に示す映像表表示処理手順ＲＴ２に従ったＣＰＵ５の制御のもとに実現されている。
【００２７】
すなわちＣＰＵ５は、ユーザのリモートコントローラ操作に応じて第１のチューナ３Ａに受信チャンネルの変更指示を与えるとこの裏番組表示処理手順ＲＴ１をステップＳＰ０において開始し、続くステップＳＰ１において、第１のチューナ３Ａが受信した新たなチャンネルのデスクランブル受信データＤ２から分離抽出された番組表データＤ４がデマルチプレクサ７から与えられるのを待ち受ける。
【００２８】
そしてＣＰＵ５は、やがて番組表データＤ４が与えられるとステップＳＰ２に進んで、この番組表データＤ２に含まれる各番組のカテゴリ情報に基づいて、現在裏番組を放送しているチャンネルを、その裏番組がどのカテゴリに属するかによって分類した図４に示すようなテーブル（以下、これをカテゴリ情報テーブルと呼ぶ）１６を作成し、これをＲＡＭ（Random Access Memory）１４に記憶保持させる。
【００２９】
またＣＰＵ５は、この後ステップＳＰ３に進んで、所定のコマンド（以下、これをカテゴリリスト表示コマンド）が与えられるのを待ち受ける。そしてＣＰＵ５は、やがてユーザがリモートコントローラ４を操作することによりカテゴリリスト表示コマンドが与えられたことを赤外線受信部１５からのコマンド受信データＤ６に基づき認識すると、ステップＳＰ４に進んで映像表示処理部９を制御することにより、図５に示すように、そのときユーザが視聴していた番組の映像をメイン画面２１として表示させる一方、その右横に選択可能なカテゴリを縦方向に列記したカテゴリリスト２２を表示させる。
【００３０】
さらにＣＰＵ５は、この後ステップＳＰ５に進んで、かかるカテゴリリスト２２の中から１つのカテゴリが選択されるのを待ち受ける。かくしてこのときユーザは、リモートコントローラ４を操作することによって、モニタ１１に表示されたカテゴリリスト２２の中から所望するカテゴリを１つ選択することができる。
【００３１】
そしてＣＰＵ５は、このようにして１つのカテゴリが選択されたことを赤外線受信部１５からのコマンド受信データＤ６に基づいて認識すると、ステップＳＰ６に進んでＲＡＭ１３に記憶保持させたカテゴリ情報テーブル１６（図４）に基づいて、当該カテゴリに属する裏番組を放送しているチャンネルのチャンネル数ｎと、その裏番組を放送している各チャンネルのチャンネル番号とを検索する。
【００３２】
そしてＣＰＵ５は、この後ステップＳＰ７に進んで、図３に示すサブ画面表示処理手順ＲＴ２を実行することにより、かかる検索により得られた各チャンネルの映像をモニタ１１に表示させる。
【００３３】
すなわちＣＰＵ５は、このサブ画面表示処理手順ＲＴ２をステップＳＰ１０において開始すると、続くステップＳＰ１１において内部カウンタ（以下、これをチャンネル数カウンタと呼ぶ）のカウント値ｍを「１」にセット（リセット）する。
【００３４】
次いでＣＰＵ５は、ステップＳＰ１２に進んで、裏番組検索表示処理手順ＲＴ１のステップＳＰ６の検索により得られた各チャンネルのうち、チャンネル番号の小さいものから数えてｍ番目（ｍは、チャンネル数カウンタのカウント値）のチャンネルを受信するように第２のチューナ３Ｂに指示を与える。
【００３５】
この結果、第２のチューナ３Ｂは指定されたチャンネルのテレビジョン信号を抽出すると共に、そのビットストリームデータＤ１Ｂをデスクランブラ６に出力し、この後このビットストリームデータＤ１Ｂがデスクランブラ６、デマルチプレクサ７及びＡＶデコーダ８において、第１のチューナ３Ａから出力されたビットストリームデータＤ１Ａと同様に処理され、かくして得られた映像データＤ４Ｖが映像表示処理部９に与えられる。
【００３６】
またこのときＣＰＵ５は、ステップＳＰ１３に進んで映像表示処理部９に対して、図６に示すように、第２のチューナ３Ｂにより受信されたチャンネルの映像データＤ４Ｖに基づく映像をモニタ１１に表示されたメイン画面２１の右横の裏番組表示エリア２３に表示させるように指示（以下、これをサブ画面表示指示と呼ぶ）を与える。この結果、映像表示処理部９は、このときＡＶデコーダ８から与えられる映像データＤ４Ｖに基づく映像を、そのチャンネル番号と共に裏番組表示エリア２３内にサブ画面２４として表示させる。
【００３７】
そしてＣＰＵ５は、この後ステップＳＰ１４に進んで、第２のチューナ３Ｂに対してｍ番目のチャンネルを受信するよう指示してから予め設定された所定の待ち時間（ｋ秒）が経過するのを待ち受ける。従って、この間モニタ１１にはｍ番目のチャンネルの映像が動画像としてサブ画面２４内に表示されることとなる。
【００３８】
またＣＰＵ５は、やがてかかる待ち時間が経過すると、ステップＳＰ１５に進んで、そのｍ番目のチャンネルの映像を静止状態で保持するように映像表示処理部９に指示を与える。かくしてこのとき映像表示処理部９は、ＡＶデコーダ８から与えられる映像データＤ４Ｖの１フレーム分をその内部に設けられた図示しないメモリに記憶保持する一方、この後はこのメモリに保持した映像データＤ４Ｖに基づく静止画像をそのサブ画面２４内に表示させる。
【００３９】
さらにＣＰＵ５は、この後ステップＳＰ１６に進んで、チャンネル数カウンタのカウント値ｍが裏番組検索表示処理手順ＲＴ１（図２）のステップＳＰ６において得られたチャンネル数ｎに達したか否かを判断する。
【００４０】
そしてＣＰＵ５は、このステップＳＰ１６において否定結果を得ると、ステップＳＰ１７に進んでチャンネル数カウンタのカウント値ｍを「１」だけカウントアップさせた後、ステップＳＰ１８に進んで、後述のようにユーザがリモートコントローラ４を操作することにより裏番組の表示を終了すべき状態となったか否かを判断する。
【００４１】
そしてＣＰＵ５は、このステップＳＰ１８又はステップＳＰ１６において否定結果を得るとステップＳＰ１２に戻り、この後ステップＳＰ１２〜ＳＰ１８−ＳＰ１２のループを繰り返す。
【００４２】
この際、ＣＰＵ５は、裏番組検索表示処理手順ＲＴ１のステップＳＰ６において検出したチャンネル数ｎが裏番組表示エリア２３内に表示できる最大のサブ画面数よりも多い場合には、当該最大数のサブ画面２４を表示後、一番上のサブ画面２４に戻って、この後は当該一番上のサブ画面２４から一番下のサブ画面２４まで順番に次のチャンネルの映像と順次循環的に切り替えるようにしながら、当該ステップＳＰ６において検出した全てのチャンネルの映像を表示するように映像表示処理部９に指示を与える。
【００４３】
そしてＣＰＵ５は、やがて裏番組検索表示処理手順ＲＴ１のステップＳＰ６において検出した各チャンネルの映像表示が一巡することによりステップＳＰ１６において肯定結果を得ると、ステップＳＰ１１に戻ってチャンネル数カウンタのカウント値ｍを「１」に戻し（リセット）、この後再び上述と同様にして、ステップＳＰ１６又はステップＳＰ１８において肯定結果を得るまでステップＳＰ１２〜ＳＰ１８−ＳＰ１２のループを繰り返す。
【００４４】
そしてＣＰＵ５は、やがてリモートコントローラ４が操作されて裏番組表示エリア２３に映像表示された１つの裏番組が選択され、又はサブ画面２４の表示を停止すべき命令が入力されることによりステップＳＰ１８において肯定結果を得ると、ステップＳＰ１９に進んで、１つの裏番組が選択されたときには、第１のチューナ３Ａを制御して、この裏番組を放送しているチャンネルを受信させると共に、映像表示処理部９を制御して、この第１のチューナ３Ａが受信しているチャンネルの映像を全画面表示させる一方、サブ画面２４の表示を停止すべき命令が入力されたときには、映像表示処理部９を制御して、このとき第１のチューナ３Ａが受信しているチャンネルの映像を全画面表示させる。
【００４５】
そしてＣＰＵ５は、この後ステップＳＰ２０に進んでこのサブ画面表示処理手順ＲＴ２を終了して裏番組表示処理手順ＲＴ１のステップＳＰ７に戻り、さらにこの後ステップＳＰ８に進んでこの裏番組表示処理手順ＲＴ１を終了する。
【００４６】
（１−２）本実施の形態の動作及び効果
以上の構成において、このテレビジョン受像機１では、ユーザがリモートコントローラ４を操作することによりカテゴリを指定して裏番組の表示命令を入力すると、そのときユーザが視聴していたチャンネルの映像がメイン画面２１として表示され、その右横の裏番組表示エリア２３内にそのときＣＳ放送されている選択されたカテゴリに属する裏番組の映像がサブ画面２４として順次更新されながら表示される。またこの状態において、ユーザがリモートコントローラ４を操作して、これらサブ画面２４として表示された裏番組の中から所望の裏番組を選択すると、当該裏番組の映像がモニタ１１に全画面表示される。
【００４７】
従って、このテレビジョン受像機１では、ユーザが所望する番組内容を選択するだけでその番組内容の裏番組を直ちに表示させることができ、さらにこれら表示された裏番組の中から自分が視聴したい１つの裏番組を視覚的に検索及び選択することができる。
【００４８】
以上の構成によれば、番組表データに基づいて裏番組をカテゴリ分けしたカテゴリ情報テーブルを作成し、当該カテゴリ情報テーブルに基づいてユーザが指定したカテゴリに属する裏番組をサブ画面２４で表示し、これら表示した裏番組のうち１つの裏番組が選択されたときにメイン画面２１に表示する映像をその裏番組に切り替えるようにしたことにより、ユーザが所望する番組内容を選択するだけでその番組内容の裏番組を直ちに表示させることができ、さらにこれら表示された裏番組の中から自分が視聴したい１つの裏番組を視覚的に検索及び選択することができ、かくして裏番組の検索及び選択を容易化させ得るテレビジョン受像機を実現できる。
【００４９】
（２）第２の実施の形態
（２−１）第２の実施の形態によるテレビジョン受像機の構成
図１との対応部分に同一符号を付して示す図７は、第２の実施の形態によるテレビジョン受像機２０を示し、ユーザの要求に応じて、ＣＳ放送、ＢＳ（Broadcasting Satellite）放送、地上ディジタル放送等の各種ディジタル放送媒体においてディジタル放送される全ての裏番組の中からユーザが選択したカテゴリに属する裏番組を検索し、その映像をモニタ１１に表示させ得るようになされている。
【００５０】
すなわちこのテレビジョン受像機２０の場合、各種パラボラアンテナ２１１〜２１ｎを介して受信した各種ディジタル放送波Ｓ１０１〜Ｓ１０ｎをそれぞれ受信信号Ｓ１１１〜Ｓ１１ｎとして第１及び第２のチューナ２２Ａ、２２Ｂに入力する。
【００５１】
第１のチューナ２２Ａは、各種ディジタル放送波Ｓ１０１〜Ｓ１０ｎを受信するための受信機能を有し、ＣＰＵ２３の制御のもとに、これら受信信号Ｓ１１１〜Ｓ１１ｎのうちのユーザにより指定されたいずれかのディジタル放送媒体の受信信号Ｓ１１１〜Ｓ１１ｎに含まれる当該ユーザにより指定されたチャンネルのテレビジョン信号を抽出し、そのビットストリームデータを受信データＤ１０Ａとしてデスクランブラ６に送出する。
【００５２】
この結果、図１について上述した第１の実施の形態のテレビジョン受像機１と同様にして、この受信データＤ１０Ａに基づく映像がモニタ１１に全画面表示されると共に、当該受信データＤ１０Ａに基づく音声がスピーカ１２から出力される。またこのとき、デマルチプレクサ７においてこの受信データＤ１０Ａから分離抽出された番組表データＤ１０がＣＰＵ２３に与えられる。
【００５３】
また第２のチューナ２２Ｂも、各種ディジタル放送波Ｓ１０１〜Ｓ１０ｎを受信するための受信機能を有する。そして第２のチューナ２２Ｂは、ＣＰＵ２３の制御のもとに、各ディジタル放送のそれぞれについて、１日に数回予め定められた所定のチャンネルを順次受信することにより、これらディジタル放送波Ｓ１０１〜Ｓ１０ｎからそれぞれそのチャンネルのテレビジョン信号を抽出し、そのビットストリームデータＤ１０Ｂをデスクランブラ６に送出する。この結果、デマルチプレクサ７においてこれらビットストリームデータＤ１０Ｂからそれぞれ分離抽出された各ディジタル放送の番組表データＤ１１がそれぞれＣＰＵ２３に出力される。
【００５４】
そしてＣＰＵ２３は、供給されるこれら各ディジタル放送の番組表データＤ１１に基づいて、図２について上述した裏番組検索表示処理手順ＲＴ１及び図３について上述したサブ画面表示処理手順ＲＴ２に従って、第１の実施の形態の場合と同様にして、そのときディジタル放送されている全ての裏番組の中からユーザが選択したカテゴリに属する裏番組の映像をモニタ１１に表示させる。
【００５５】
ただし、このときＣＰＵ２３は、裏番組検索表示処理手順ＲＴ１のステップＳＰ２において、これらディジタル放送の各番組表データＤ１１にそれぞれ含まれる各番組のカテゴリ情報に基づいて、そのとき放送されている裏番組をカテゴリ分けすると共に、図８に示すように、その結果に基づいてそのカテゴリに属する裏番組を放送しているディジタル放送媒体（ＣＳ放送、ＢＳ放送又は地上ディジタル放送等）と、チャンネルとを記述したカテゴリ情報テーブル２４をカテゴリごとに作成し、これらカテゴリごとのカテゴリ情報テーブル２４をＲＡＭ１３（図７）に記憶保持させる。
【００５６】
そしてＣＰＵ２３は、この後のステップＳＰ６において、対応するカテゴリのカテゴリ情報テーブル２４（図８）に基づいて、ユーザが選択したカテゴリに属する裏番組をそのときディジタル放送している全てのチャンネルのチャンネル数とチャンネル番号とを検出する。
【００５７】
さらにＣＰＵ２３は、続くステップＳＰ７においてサブ画面表示処理手順ＲＴ２（図３）に移ると、この後はこのサブ画面表示処理手順ＲＴ２に従って、第１の実施の形態の場合と同様にして、裏番組検索表示処理手順ＲＴ１のステップＳＰ６において検出したチャンネルの映像を図６について上述したように裏番組表示エリア２３内に順次表示させる。
【００５８】
このようにしてこのテレビジョン受像機２０においては、ＣＳ放送に加えて、そのとき他のディジタル放送媒体において放送されている裏番組の中からユーザが選択したカテゴリに属する番組の映像を検索してモニタ１１に表示し得るようになされている。
【００５９】
（２−２）本実施の形態の動作及び効果
以上の構成において、このテレビジョン受像機２０では、ユーザがリモートコントローラ４を操作することによりカテゴリを指定して裏番組の表示命令を入力すると、そのときユーザが視聴していたチャンネルの映像がメイン画面２１として表示され、その右横の裏番組表示エリア２３内にそのときディジタル放送されている、ユーザにより指定されたカテゴリに属する裏番組の映像がサブ画面２４として順次更新されながら表示される。またこの状態において、ユーザがリモートコントローラ４を操作して、これらサブ画面２４として表示された裏番組の中から所望の裏番組を選択すると、当該裏番組の映像をモニタ１１に全画面表示する。
【００６０】
従って、このテレビジョン受像機２０は、ＣＳ放送されている裏番組のみならず、他のディジタル放送媒体において放送されている裏番組の中からもユーザが指定したカテゴリに属する裏番組を検索及び選択することができるため、第１の実施の形態によるテレビジョン受像機１に比してより一層と広い範囲での裏番組の検索及び選択を容易化させることができる。
【００６１】
以上の構成によれば、ＣＳ放送されている裏番組のみならず、他のディジタル放送されている裏番組の中からもユーザが指定したカテゴリに属する裏番組を検索及び選択することができるようにしたことにより、第１の実施の形態によるテレビジョン受像機１に比してより一層と裏番組の検索及び選択を容易化させ得るテレビジョン受像機を実現できる。
【００６２】
（３）第３の実施の形態
（３−１）第３の実施の形態によるテレビジョン受像機の構成
図７との対応部分に同一符号を付して示す図９は、第３の実施の形態によるテレビジョン受像機３０を示し、裏番組の映像に代えて、当該裏番組のサービス詳細情報を文字表示するようになされた点を除いて第２の実施の形態によるテレビジョン受像機２０と同様に構成されている。
【００６３】
実際上このテレビジョン受像機３０の場合、ＣＰＵ３１は、図２について上述した裏番組検索表示処理手順ＲＴ１に従って上述のような裏番組の検索等を行うが、この際この裏番組検索表示処理手順ＲＴ１のステップＳＰ２において、デマルチプレクサ７から供給される各ディジタル放送媒体の番組表データＤ３１にそれぞれ含まれる番組ごとのカテゴリ情報及びサービス情報に基づいて、図１０に示すように、そのときディジタル放送されている全ての裏番組をカテゴリ分けし、カテゴリごとにそのカテゴリに属する裏番組を放送しているチャンネルのディジタル放送媒体名（ＣＳ放送又はＢＳ放送等）、チャンネル番号及びサービス詳細情報を記述したカテゴリ情報テーブル３２を作成すると共に、これらをＲＡＭ１４に記憶保持させる。
【００６４】
またＣＰＵ３１は、この後ステップＳＰ３〜ステップＳＰ６を上述と同様に処理すると共に、この後ステップＳＰ７に進むと、図１１に示すサービス詳細情報表示処理手順ＲＴ３を実行することにより、裏番組検索表示処理手順ＲＴ１のステップＳＰ６において検出したユーザが選択したチャンネルのサービス詳細情報をモニタ１１に文字表示させる。
【００６５】
すなわちＣＰＵ３１は、このサービス詳細情報処理手順ＲＴ３をステップＳＰ３０において開始すると、ステップＳＰ３１に進んで、チャンネル数カウンタのカウント値ｍを「１」にセットする。
【００６６】
次いでＣＰＵ３１は、ステップＳＰ３２に進んで、裏番組検索表示処理手順ＲＴ１のステップＳＰ６において検出した各チャンネルのうち、チャンネル番号の小さいものから数えてｍ番目（ｍは、チャンネル数カウンタのカウント値）のチャンネルのサービス詳細情報をＲＡＭ１４に記憶保持させたカテゴリ情報テーブル３２から読み出し、このサービス詳細情報と、そのチャンネルのディジタル放送媒体名及びチャンネル番号と、これらの表示命令とを映像表示処理部９に与える。
【００６７】
かくして映像表示処理部９は、かかる表示命令に基づいて、これら与えられたサービス情報、ディジタル放送媒体名及びそのチャンネル番号を、例えば図１２に示すように、メイン画面２１の右横の裏番組表示エリア４０内に所定の形態で表示する。
【００６８】
続いてＣＰＵ３１は、ステップＳＰ３３に進んで所定の待ち時間（ｋ秒）が経過するのを待ち受け、この後ステップＳＰ３４〜ステップＳＰ３７を上述した映像表示処理手順ＲＴ２（図３）のステップＳＰ１６〜ステップＳＰ１９と同様に処理する。またＣＰＵ３１は、この後ステップＳＰ３８に進んでこのサービス詳細情報表示処理手順ＲＴ３を終了した後裏番組検索表示処理手順ＲＴ１（図２）のステップＳＰ７に戻り、この後ステップＳＰ８に進んでこの後裏番組検索表示処理手順ＲＴ１を終了する。
【００６９】
（３−２）本実施の形態の動作及び効果
以上の構成において、このテレビジョン受像機３０では、ユーザがリモートコントローラ４を操作することによりカテゴリを指定して裏番組の表示命令を入力すると、そのときユーザが視聴していたチャンネルの映像がメイン画面２１として表示され、その右横の裏番組表示エリア４０内にそのとき各種ディジタル放送媒体においてそれぞれ放送されているユーザにより選択されたカテゴリに属する各裏番組のサービス詳細情報がそれぞれ表示される。
【００７０】
従って、このテレビジョン受像機３０では、ユーザが所望する裏番組をサービス詳細情報として表示された出演者等に基づいて検索及び選択することができ、その分ユーザによる所望する裏番組の検索及び選択を容易化させることができる。
【００７１】
以上の構成によれば、ユーザの要求に応じて、当該ユーザが選択したカテゴリに属する裏番組のサービス詳細情報を文字表示するようにしたことにより、自分が視聴したい１つの裏番組を視覚的に検索及び選択することができ、かくして裏番組の検索及び選択を容易化させ得るテレビジョン受像機を実現できる。
【００７２】
（４）他の実施の形態
なお上述の第１〜第３の実施の形態においては、本発明をテレビジョン受像機に適用するようにした場合について述べたが、本発明はこれに限らず、例えばテレビジョン放送の受信表示機能を有するパーソナルコンピュータや、据え置き型のビデオテープレコーダ等、テレビジョン受像機以外のこの他種々の表示装置に広く適用することができる。
【００７３】
また上述の第１〜第３の実施の形態においては、テレビジョン放送を受信する受信手段としてのチューナを２つ設けるようにした場合について述べたが、本発明はこれに限らず、例えば第１及び第２の実施の形態にあってはチューナを３つ以上設け、これらチューナに振り分けて裏番組を受信させるようにしても良く、また第３の実施の形態にあってはチューナを１つだけ設けるようにしても良い。
【００７４】
さらに上述の第１〜第３の実施の形態においては、ディジタル放送される各番組の番組内容を表す番組情報としての番組表データＤ４、Ｄ１１をディジタル放送波から分離抽出するようにして取得するようにした場合について述べたが、本発明はこれに限らず、例えばインターネット等のネットワーク経由で外部から取得したり、又はＣＤ−ＲＯＭ（Compact Disc ＲＯＭ）等の記憶媒体を通じて外部から取得するようにしても良い。
【００７５】
さらに上述の第１〜第３の実施の形態においては、本発明をディジタル放送受信用のテレビジョン受像機１、２０、３０に適用するようにした場合について述べたが、本発明はこれに限らず、要は、上述のようにネットワークや記憶媒体等を通じて番組表データを取得できるのであれば、アナログ放送受信用のテレビジョン受像機にも適用することができる。
【００７６】
さらに上述の第１〜第３の実施の形態においては、カテゴリ情報テーブル２０、２４、３２を作成するテーブル作成手段と、ユーザにより選択されたカテゴリの裏番組をカテゴリ情報テーブル２０、２４、３２を用いて検索する検索手段としてのＣＰＵ５、２３、２７が図４、図８又は図１０のようなカテゴリ情報テーブル２０、２４、３２を作成し、このカテゴリ情報テーブル２０、２４、３２を用いてユーザにより選択されたカテゴリの裏番組を検索するようにした場合について述べたが、本発明はこれに限らず、要は、図４、図８又は図１０について上述した情報を含むカテゴリ情報テーブルを作成するのであれば、ＣＰＵ５、２３、２７が作成するカテゴリ情報テーブルとしては図４、図８又は図１０について上述したチャンネル番号等の情報以外の情報を含むものであっても良い。
【００７７】
さらに上述の第１〜第３の実施の形態においては、検索された裏番組をモニタ１１に表示させる映像表示処理手段としての映像表示処理部９が、図６又は図１２のように裏番組の映像又はサービス詳細情報をモニタ１１に表示させるようにした場合について述べたが、本発明はこれに限らず、その表示形態としてはこれ以外の表示形態であっても良い。
【００７８】
例えば上述の第１〜第３の実施の形態においては、検索により得られた裏番組の数が裏番組表示エリア２３、４０内に表示可能な最大数を超える場合には、当該最大数の裏番組を表示後はこれら表示を順次循環的に他の裏番組の映像又はサービス詳細情報に一定の時間間隔で切り替えるようにして、検索された全ての裏番組の映像やサービス詳細情報を表示するようにした場合について述べたが、例えば裏番組表示エリア２３、４０内の表示映像等をリモートコントローラ操作によって次のチャンネル番号の裏番組の映像等にスクロールさせ得るようにしても良い。
【００７９】
さらに上述の第１〜第３の実施の形態においては、ＣＰＵ５、２３、２７が番組表データＤ４、Ｄ１１に含まれる各番組のカテゴリ情報に基づいて裏番組をＣＳ放送局が予め定めた「音楽」等のカテゴリに分類するようにした場合について述べたが、本発明はこれに限らず、かかるカテゴリに加え又は代えて、例えば番組表データＤ４、Ｄ１１に含まれる各番組のサービス詳細情報内にユーザが予め入力して設定した出演者名等のキーワードを含む裏番組を１つのカテゴリとして分類するようにしても良い。
【００８０】
さらに上述の第２及び第３の実施の形態においては、無線ディジタル放送される全ての裏番組の中からユーザが選択したカテゴリに属する裏番組を検索するようにした場合について述べたが、本発明はこれに限らず、ケーブルテレビジョン放送やインターネット放送などの有線放送される全ての裏番組の中からユーザが選択したカテゴリに属する裏番組を検索できるようにしても良い。
【産業上の利用可能性】
【００８１】
本発明は、テレビジョン受像機の他、ディジタル放送の表示機能を有するパーソナルコンピュータや、据え置き型のビデオテープレコーダ等に適用することができる。
【図面の簡単な説明】
【００８２】
【図１】第１の実施の形態によるテレビジョン受像機の構成を示すブロック図である。
【図２】裏番組検索表示処理手順を示すフローチャートである。
【図３】映像表示処理手順を示すフローチャートである。
【図４】第１の実施の形態によるカテゴリ情報テーブルを示す概念図である。
【図５】モニタ画面表示を示す略線図である。
【図６】モニタ画面表示を示す略線図である。
【図７】第２の実施の形態によるテレビジョン受像機の構成を示すブロック図である。
【図８】第２の実施の形態によるカテゴリ情報テーブルを示す概念図である。
【図９】第３の実施の形態によるテレビジョン受像機の構成を示すブロック図である。
【図１０】第３の実施の形態によるカテゴリ情報テーブルを示す概念図である。
【図１１】サービス詳細情報表示処理手順を示すフローチャートである。
【図１２】モニタ画面表示を示す略線図である。
【符号の説明】
【００８３】
１、２０、３０……テレビジョン受像機、３Ａ、３Ｂ、２２Ａ、２２Ｂ……チューナ、４……リモートコントローラ、５、２３、３１……ＣＰＵ、７……デマルチプレクサ、９……映像表示処理部、１１……モニタ、２０、２４、３２……カテゴリ情報テーブル、２３、４０……裏番組表示エリア、２４……サブ画面、Ｄ４、Ｄ１１……番組表データ、Ｓ１、Ｓ１０１〜Ｓ１０ｎ……放送波。
【図１】
2005039512.tif 000003
【図２】
2005039512.tif 000004
【図３】
2005039512.tif 000005
【図４】
2005039512.tif 000006
【図５】
2005039512.tif 000007
【図６】
2005039512.tif 000008
【図７】
2005039512.tif 000009
【図８】
2005039512.tif 000010
【図９】
2005039512.tif 000011
【図１０】
2005039512.tif 000012
【図１１】
2005039512.tif 000013
【図１２】
2005039512.tif 000014